(57)【要約】【課題】ゲインの履歴を記憶することにより、ゲインの履歴を解析することができるようになると共に、解析結果によって異常発生箇所の絞り込みを行うことができるゲイン履歴装置を提供する。【解決手段】送信回路１２が音響トランスジューサＴＤ１及びＴＤ２の何れか一方を制御して、ガス流路内に間欠的に超音波信号を送信する。受信回路１３が、送信された超音波信号を受信する。増幅器１３ａが、受信した超音波信号を増幅する。μＣＯＭ１４内のＣＰＵが、受信した超音波信号のレベルが一定になるように増幅器１３ａのゲインを調整している。そして、μＣＯＭ１４内のＣＰＵは、増幅器１３ａのゲインの調整履歴を記録する。【選択図】図１
2005257445.tif 000002
【特許請求の範囲】
【請求項１】
ガス流路内に間欠的に超音波信号を送信する送信手段と、前記超音波信号を受信する受信手段と、該送信手段が送信する又は前記受信手段が受信した超音波信号を増幅する増幅手段と、前記増幅手段のゲインを調整するゲイン調整手段とを備え、前記送信手段が超音波信号を送信してから、前記受信手段が受信するまでの伝播時間を求め、該求めた伝播時間に基づいて、ガス流速を計測する流速計測装置に備えられた、前記ゲイン調整手段により調整されたゲインの調整履歴を記録することを特徴とするゲイン履歴装置。
【請求項２】
請求項１記載のゲイン履歴装置であって、
前記ゲインの調整履歴データを記憶する履歴データ記憶手段を備え、
一定期間毎のゲイン最大値を、前記調整履歴データとして前記履歴データ記憶手段に記憶させることを特徴とするゲイン履歴装置。
【請求項３】
請求項２記載のゲイン履歴装置であって、
複数の流速区間を設け、前記一定期間において、各流速区間毎のゲイン最大値を、前記調整履歴データとして前記履歴データ記憶手段に記憶させることを特徴とするゲイン履歴装置。
【請求項４】
請求項２又は３記載のゲイン履歴装置であって、
ゲイン最大値を記憶するゲイン最大値記憶手段と、
前記ゲイン最大値記憶手段に記憶されているゲイン最大値と、前記増幅手段の現在のゲインとを比較し、前記現在のゲイン値が、前記ゲイン最大値より大きかった場合、前記ゲイン最大値を、前記現在のゲイン値に更新する更新手段とを備え、
前記一定期間経過する毎に、前記ゲイン最大記憶手段に記憶されたゲイン最大値を調整履歴データとして、前記履歴データ記憶手段に記憶させることを特徴とするゲイン履歴装置。
【請求項５】
請求項１記載のゲイン履歴装置であって、
前記ゲインの履歴データを記憶する履歴データ手段を備え、
一定期間毎のゲインの平均値を、調整履歴データとして前記履歴データ記憶手段に記憶することを特徴とするゲイン履歴装置。
【請求項６】
請求項５記載のゲイン履歴装置であって、
複数の流速区間を設け、前記一定期間において、各流速区間毎のゲインの平均値を、前記履歴データとして前記履歴データ記憶手段に記憶させることを特徴とするゲイン履歴装置。
【発明の詳細な説明】
【技術分野】
【０００１】
本発明は、ゲイン履歴装置に関するものである。
【背景技術】
【０００２】
現在、超音波式流速センサを使用した超音波式ガスメータが提案されている（例えば、特許文献１）。上述した超音波式ガスメータは、ガス流路内に一定距離だけ離れて配置された超音波周波数で作動する例えば圧電式振動子からなる２つの音響トランスジューサによって超音波式流速センサを構成している。
【０００３】
そして、一方のトランスジューサの発生する超音波信号を他方のトランスジューサに受信させる動作を行って超音波信号がトランスジューサ間で伝播される伝播時間を計測し、この計測した伝播時間に基づいてガス流速を間欠的に求め、この流速にガス流路の断面積と間欠時間とを乗じて通過流量を求めている。さらに、この通過流量を積算して求めた積算流量を表示することによって、電子式ガスメータを構成することができる。
【０００４】
ところで近年、電子式ガスメータは、上述したガス流路を通過する通過流量を計測する機能の他に、超音波式流速センサの故障などに起因して正確に流速が計測できない計測異常が発生したことを検出する機能を有するものがある。この機能により、電子式ガスメータの信頼性の向上を図ることができる。
【０００５】
上述した計測異常検出として、ゲイン調整機能を利用したものがある。ゲイン調整機能とは、上述した超音波信号の伝播時間を正確に計測するため、送信する又は受信した超音波信号を増幅する増幅器のゲインを、受信超音波信号のレベルが一定して安定するように調整することである。具体的には、図３に示すように、例えば、３パルス目の超音波信号の送信から、超音波信号の受信レベルが閾値Ａを超えた直後に０となるまでを、伝播時間として計測した場合、３パルス目に送信した超音波信号を受信したとき始めて、受信レベルが閾値Ａを超えるように、ゲインの調整を行う。
【０００６】
このゲイン調整機能を利用して、増幅器のゲインを最大にしても、閾値Ａを超えた超音波信号を受信できないとき、計測異常を検出している。しかしながら、従来の電子式ガスメータは、単に、計測異常を検出するだけの機能しか有しておらず、計測異常発生時にゲイン調整がどのような状態であったか、ゲインが経時的にどのような変化をたどったのか、データとして残されていない。このため、計測精度に対して非常に重要なゲインの経時的変化を解析することができず、具体的にどの部分に異常が発生しているのか絞り込みすることができなかった。
【特許文献１】特公平７−１１９６３８号公報
【発明の開示】
【発明が解決しようとする課題】
【０００７】
そこで、本発明は、上記のような問題点に着目し、ゲインの履歴を記憶することにより、ゲインの履歴を解析することができるようになると共に、解析結果によって異常発生箇所の絞り込みを行うことができるゲイン履歴装置を提供することを課題とする。
【課題を解決するための手段】
【０００８】
請求項１記載の発明は、ガス流路内に間欠的に超音波信号を送信する送信手段と、前記超音波信号を受信する受信手段と、該送信手段が送信する又は前記受信手段が受信した超音波信号を増幅する増幅手段と、前記増幅手段のゲインを調整するゲイン調整手段とを備え、前記送信手段が超音波信号を送信してから、前記受信手段が受信するまでの伝播時間を求め、該求めた伝播時間に基づいて、ガス流速を計測する流速計測装置に備えられた、前記ゲイン調整手段により調整されたゲインの調整履歴を記録することを特徴とするゲイン履歴装置に存する。
【０００９】
請求項１記載の発明によれば、ゲイン調整手段により調整されたゲインの調整履歴を記録する。従って、流速計測装置の計測制御において重要なゲインの調整履歴を記録することができる。
【００１０】
請求項２記載の発明は、請求項１記載のゲイン履歴装置であって、前記ゲインの調整履歴データを記憶する履歴データ記憶手段を備え、一定期間毎のゲイン最大値を、前記調整履歴データとして前記履歴データ記憶手段に記憶させることを特徴とするゲイン履歴装置に存する。
【００１１】
請求項２記載の発明によれば、一定期間毎の最大値を解析すれば、正確なゲインの解析を行うことができることに着目し、一定期間毎の最大値を調整履歴データとして、履歴データ記憶手段に記憶させることができる。
【００１２】
請求項３記載の発明は、請求項２記載のゲイン履歴装置であって、複数の流速区間を設け、前記一定期間において、各流速区間毎のゲイン最大値を、前記調整履歴データとして前記履歴データ記憶手段に記憶させることを特徴とするゲイン履歴装置に存する。
【００１３】
請求項３記載の発明によれば、ガス流路内に流れているガスの流速に依存して、ゲインは変動することに着目し、一定期間において、各流速区間毎のゲイン最大値を、調整履歴データとして、履歴データ記憶手段に記憶させることができる。
【００１４】
請求項４記載の発明は、請求項２又は３記載のゲイン履歴装置であって、ゲイン最大値を記憶するゲイン最大値記憶手段と、前記ゲイン最大値記憶手段に記憶されているゲイン最大値と、前記増幅手段の現在のゲインとを比較し、前記現在のゲイン値が、前記ゲイン最大値より大きかった場合、前記ゲイン最大値を、前記現在のゲイン値に更新する更新手段とを備え、前記一定期間経過する毎に、前記ゲイン最大記憶手段に記憶されたゲイン最大値を調整履歴データとして、前記履歴データ記憶手段に記憶させることを特徴とするゲイン履歴装置に存する。
【００１５】
請求項４記載の発明によれば、ゲイン最大値記憶手段に、ゲイン最大値が記憶されている。更新手段が、増幅手段の現在のゲイン値と、ゲイン最大値記憶手段に記憶されているゲイン最大値とを比較し、現在のゲイン値が、ゲイン最大値より大きかった場合、ゲイン最大値を、現在のゲイン値に更新する。そして、一定期間経過する毎に、ゲイン最大記憶手段に記憶されたゲイン最大値を調整履歴データとして、履歴データ記憶手段に記憶させる。従って、更新手段により、ゲイン最大値記憶手段に記憶されるゲイン最大値が更新されるため、一定期間中のゲイン全てを記憶しなくても、ゲイン最大値を履歴データとすることができる。
【００１６】
請求項５記載の発明は、請求項１記載のゲイン履歴装置であって、前記ゲインの履歴データを記憶する履歴データ手段を備え、一定期間毎のゲインの平均値を、調整履歴データとして前記履歴データ記憶手段に記憶することを特徴とするゲイン履歴装置に存する。
【００１７】
請求項５記載の発明によれば、一定期間毎の平均値を解析すれば、正確なゲインの解析を行うことができることに着目し、一定期間毎の平均値を調整履歴データとして、履歴データ記憶手段に記憶させることができる。
【００１８】
請求項６記載の発明は、請求項５記載のゲイン履歴装置であって、複数の流速区間を設け、前記一定期間において、各流速区間毎のゲインの平均値を、前記履歴データとして前記履歴データ記憶手段に記憶させることを特徴とするゲイン履歴装置に存する。
【００１９】
請求項６記載の発明によれば、ガス流路内に流れているガス流速に依存して、ゲインは変動することに着目し、一定期間において、各流速区間毎のゲイン平均値を、調整履歴データとして、履歴データ記憶手段に記憶させることができる。
【発明の効果】
【００２０】
以上説明したように請求項１記載の発明によれば、流速計測装置の計測制御において重要なゲインの調整履歴を記録することができるので、記録された調整履歴を解析することができるようになると共に、解析結果によって異常発生箇所の絞り込みを行うことができるゲイン履歴装置を得ることができる。
【００２１】
請求項２記載の発明によれば、一定期間毎の最大値を調整履歴データとして、履歴データ記憶手段に記憶させることができるので、全てのゲインを調整履歴データとして記憶しなくても、正確にゲインの解析を行うことができ、メモリ容量が少なく、コストダウンを図ったゲイン履歴装置を得ることができる。
【００２２】
請求項３記載の発明によれば、一定期間において、各流速区間毎のゲイン最大値を、調整履歴データとして、履歴データ記憶手段に記憶させることができるので、より一層、正確なゲインの解析を行うことができるゲイン履歴装置を得ることができる。
【００２３】
請求項４記載の発明によれば、更新手段により、ゲイン最大値記憶手段に記憶されるゲイン最大値が更新されるため、一定期間中のゲイン全てを記憶しなくても、ゲイン最大値を履歴データとすることができるので、メモリ容量が少なく、コストダウンを図ったゲイン履歴装置を得ることができる。
【００２４】
請求項５記載の発明によれば、一定期間毎の平均値を調整履歴データとして、履歴データ記憶手段に記憶させることができるので、全てのゲインを調整履歴データとして記憶しなくても、正確にゲインの解析を行うことができ、メモリ容量が少なく、コストダウンを図ったゲイン履歴装置を得ることができる。
【００２５】
請求項６記載の発明によれば、一定期間において、各流速区間毎のゲイン平均値を、調整履歴データとして、履歴データ記憶手段に記憶させることができるので、より一層、正確なゲインの解析を行うことができるゲイン履歴装置を得ることができる。
【発明を実施するための最良の形態】
【００２６】
以下、本発明の実施の形態を図面に基づいて説明する。図１は、本発明のゲイン履歴装置を組み込んだ電子式ガスメータを示している。図示の電子式ガスメータは超音波式として構成されており、ガス流路内に距離Ｌだけ離され、かつ、ガス流方向Ｙに対して角度θをなすように、互いに対向して配置された２つの音響トランスジューサＴＤ１及びＴＤ２を有する。
【００２７】
２つの音響トランスジューサＴＤ１及びＴＤ２は、超音波周波数で作動する例えば圧電式振動子から構成されている。ガス流路には、両音響トランスジューサＴＤ１、ＴＤ２の上流側に弁閉によってガス流路を遮断するガス遮断弁１０が設けられている。
【００２８】
各トランスジューサＴＤ１及びＴＤ２はトランスジューサインタフェース（Ｉ／Ｆ）回路１１ａ及び１１ｂをそれぞれ介して送信回路１２及び受信回路１３に接続されている。送信回路１２は、マイクロコンピュータ（μＣＯＭ）１４の制御の下で、トランスジューサＴＤ１、ＴＤ２の一方を駆動して超音波信号を発生させる信号をパルスバーストの形で送信し、このための発振回路（図示せず）を内蔵している。
【００２９】
受信回路１３は、ガス流路を通過した超音波信号を受信した他方のトランスジューサＴＤ１、ＴＤ２からの信号を入力して超音波信号を増幅する増幅器１３ａ（＝増幅手段）を内蔵している。この増幅器１３ａのゲインは、μＣＯＭ１４によって調整することができる。また、μＣＯＭ１４には、表示器１５が接続されている。
【００３０】
上述したμＣＯＭ１４は、図２に示すように、プログラムに従って各種の処理を行う中央処理ユニット（ＣＰＵ）１４ａ、ＣＰＵ１４ａが行う処理のプログラムなどを格納した読み出し専用のメモリであるＲＯＭ１４ｂ、ＣＰＵ１４ａでの各種の処理過程で利用するワークエリア、各種データを格納するデータ格納エリアなどを有する読み出し書き込み自在のメモリであるＲＡＭ１４ｃなどを内蔵し、これらがバスライン１４ｄによって互いに接続されている。
【００３１】
次に、上述した構成の電子式ガスメータの動作について説明する。上述したＣＰＵ１４ａは、２つのトランスジューサＴＤ１及びＴＤ２を用いて、サンプリング時間毎にガス流速を計測し、計測したガス流速にガス流路の断面積を乗じて瞬時流量を計測する瞬時流量計測処理を行う。以下、瞬時流量計測処理の詳細について説明する。
【００３２】
まず、ＣＰＵ１４ａは、送信回路１２にトリガ信号を出力してパルスバースト信号を発生させ、これを一方のトランスジューサＴＤ１、ＴＤ２に供給させ、この一方のトランスジューサに超音波信号を発生させる。また、一方のトランスジューサから送信された超音波信号を受信する他方のトランスジューサからの信号を受信回路１３に受信させ、これに応じて受信回路１３が発生する信号を取り込む。以上のことから明らかなように、送信回路１２が請求項中の送信手段に相当し、受信回路１３が請求項中の受信手段に相当する。
【００３３】
その後、ＣＰＵ１４ａは、超音波信号を発生するトランスジューサと超音波信号を受信するトランスジューサを逆にして同じ動作をもう一度折り返す制御を行う。そして、ＣＰＵ１４ａは、ＲＡＭ１４ｃ内に形成した伝播時間タイマを用いて、送信回路１２にトリガ信号を出力して一方のトランスジューサの超音波信号を発生させてから、この超音波信号を受信する他方のトランスジューサが発生する信号を受信回路１３を介して取り込むまでの伝播時間Ｔ１、Ｔ２を計測する。
【００３４】
今、音速をｃ、ガス流の流速をｖとすると、トランスジューサＴＤ１からトランスジューサＴＤ２への超音波信号の伝播速度は（ｃ＋ｖｃｏｓθ）、トランスジューサＴＤ２からトランスジューサＴＤ１への超音波信号の伝播速度は（ｃ−ｖｃｏｓθ）となる。従って、トランスジューサＴＤ１及びＴＤ２間の距離をＬとすると、トランスジューサＴＤ１からの超音波信号がガス流と同じ方向Ｙに進んでトランスジューサＴＤ２に到達する時間Ｔ１と、トランスジューサＴＤ２からの超音波信号がガス流と逆方向に進んでトランスジューサＴＤ２に到達する時間Ｔ２とは、
Ｔ１＝Ｌ／（ｃ＋ｖｃｏｓθ）…（１）
Ｔ２＝Ｌ／（ｃ−ｖｃｏｓθ）…（２）
となる。
【００３５】
式（１）、（２）より
ｖ＝（Ｌ／２ｃｏｓθ）・（１／Ｔ１−１／Ｔ２）
＝（Ｌ／２ｃｏｓθ）・｛（Ｔ２−Ｔ１）／（Ｔ２・Ｔ１）｝…（３）
となり、Ｌが既知であるときには、Ｔ１及びＴ２を計測することにより流速ｖを求めることができる。
【００３６】
ところで、Ｔ２・Ｔ１＝Ｌ2／｛（ｃ＋ｖｃｏｓθ）・（ｃ−ｖｃｏｓθ）｝
＝Ｌ2／（ｃ2−ｖ2ｃｏｓ2θ）
であり、流速ｖは音速ｃに比べて極めて小さな数値であるので、式中ｖ2はｃ2ｃｏｓ2θに比べて極めて小さく無視でき、Ｔ２・Ｔ１＝Ｌ2／ｃ2とすることができる。そして、上記式（３）は最終的には、
ｖ＝｛（Ｔ２−Ｔ１）・ｃ2｝／２Ｌｃｏｓθ
＝（Ｔ２−Ｔ１）・（ｃ2）・（１／２Ｌｃｏｓθ）
と書き直すことができる。ここで、Ｔｄ＝（Ｔ２−Ｔ１）とすると、
ｖ＝Ｔｄ・ｋ…（４）
ただし、ｋ＝ｃ2／２Ｌｃｏｓθ
となる。
【００３７】
すなわち、超音波信号の伝播時間の差Ｔｄに定数ｋを乗じてガス流速ｖが求められる。そして、このガス流速ｖにガス流路の断面積を乗じることにより瞬時流量を求めることができる。ＣＰＵ１４ａは、さらに、求めた瞬時流量にサンプリング時間を乗じて、ガスの通過流量を求める流量計測処理と、求めた通過流量を積算する積算処理と、積算した通過流量を表示器１５に表示する表示処理とを行う。
【００３８】
また、ＣＰＵ１４ａは、上述した通過流量計測処理が行われる毎に、ゲイン調整手段として働き、増幅器１３ａのゲイン調整処理及び計測異常が発生していることを検出する計測異常検出処理を行っている。次に、このゲイン調整処理及び計測異常検出処理の詳細について、図３を参照して以下説明する。同図に示すように、送信側からパルス状の超音波信号を出力すると、受信側ではピークが徐々に大きくなって受信される。このとき、例えば３パルス目の超音波信号の送信から、超音波センサの受信レベルが閾値Ａを越えた直後に０となるまでを、超音波信号の伝播時間Ｔ１、Ｔ２として計測する。
【００３９】
従って、正確に流速を計測するためには、３パルス目に送信した超音波信号を受信したとき始めて、受信レベルが閾値Ａを越えるように、受信超音波信号のゲイン調整を行う必要がある。具体的には、受信レベルが閾値Ａを越えた直後に受信レベルが０となった後のピークＰが所定範囲Ｂ内に収まるように増幅器１３ａのゲイン調整を行っている。このゲイン調整機能を流用してＣＰＵ１４ａは、増幅器１３ａのゲインを最大にしても、閾値Ａを越えた超音波信号を受信できないときに、計測異常を検出している。
【００４０】
また、ＣＰＵ１４ａは、上述した瞬時流量計測処理、ゲイン調整処理、計測異常検出処理と並列に、ゲイン調整処理によって調整される増幅器１３ａのゲイン履歴を記録する履歴処理を行っている。この履歴処理について、ＣＰＵ１４ａの処理手順を説明する図４のフローチャートを参照して説明する。
【００４１】
まず、ＣＰＵ１４ａは、図示しない電源の投入によって動作を開始し、その最初のステップＳ１において、ＲＡＭ１４ｃ内に形成した１ヶ月タイマをスタートさせる（ステップＳ１）。次に、増幅器１３ａの現在のゲインＧｎを取り込み（ステップＳ２）、取り込んだ現在のゲインＧｎが、ＲＡＭ１４ｃ内に形成したゲイン最大値エリア（＝ゲイン最大値記憶手段）に記憶されているゲイン最大値Ｇｍａｘより大きいか否かを判断する（ステップＳ３）。
【００４２】
Ｇｎ＞Ｇｍａｘの場合（ステップＳ３でＹ）、ＣＰＵ１４ａは、更新手段として働き、ゲイン最大値Ｇｍａｘを現在のゲインＧｎに更新した後（ステップＳ４）、ステップＳ５に進む。これに対して、Ｇｎ≦Ｇｍａｘの場合（ステップＳ３でＮ）、ＣＰＵ１４ａはゲイン最大値Ｇｍａｘを更新することなく、直ちにステップＳ５に進む。ステップＳ５において、ＣＰＵ１４ａは、１ヶ月タイマが１ヶ月を超えたか否かを判断する（ステップＳ５）。
【００４３】
一ヶ月を超えていなければ（ステップＳ５でＮ）、ＣＰＵ１４ａは再びステップＳ２に戻る。これに対して、１ヶ月を超えていれば（ステップＳ５でＹ）、ＣＰＵ１４ａは、ゲイン最大値エリアに記憶されているゲイン最大値Ｇｍａｘを履歴データとして、ＲＡＭ１４ｃ内に形成した履歴データエリア（＝履歴データ記憶手段）内に記憶した後（ステップＳ６）、ゲイン最大値Ｇｍａｘを０リセットして（ステップＳ７）、ステップＳ１に戻る。
【００４４】
以上の履歴処理により、履歴データエリアには、１ヶ月毎のゲイン最大値が履歴データとして順次記憶される。これにより、計測異常などが発生した場合、ゲイン履歴の解析を行うことができる。ところで、異常までの経過はさまざまであるが、基本的に最初は異常は発生しておらず、その後、突発的に、または、徐々におかしくなる。突発的におかしくなったのか、それとも徐々におかしくなったのかを、ゲインの履歴データから把握することにより異常発生部位がどこにあるのか絞り込みすることができる。
【００４５】
例えば、突発的に発生する要因として、ノイズ、他ガスの混合、増幅器１３ａ、μＣＯＭ１４ａ、受信回路１３、超音波トランスジューサＴＤ１及びＴＤ２の異常などが考えられる。これに対して、徐々におかしくなる原因として、例えば、ガス流路内の腐食、ガス流路内へのゴミ及びドレイン等の侵入による感度低下や、音響トランスジューサＴＤ１及びＴＤ２の経時劣化による感度低下などが考えられる。以上のように、ゲインの履歴データを解析して、突発的におかしくなったのか、それとも徐々におかしくなったのかを把握すれば、その異常発生原因を絞ることができる。
【００４６】
また、上述した電子式ガスメータによれば、現在のゲインＧｎが、ゲイン最大値Ｇｍａｘより大きいときに、ゲイン最大値Ｇｍａｘを現在のゲインＧｎに更新している。このように、ゲイン最大値Ｇｍａｘが更新されるため、１ヶ月中のゲイン履歴の全てを記憶しなくても、１ヶ月のゲイン最大値を得ることができ、メモリ容量が少なくて済み、コストダウンを図ることができる。
【００４７】
なお、上述した実施形態では、１ヶ月間のゲイン最大値を履歴データとしていたが、例えば、ゲインの調整が行われる毎に、そのゲインを全て履歴データとして残すことも考えられる。しかしながら、全てのゲインを履歴データとして残すためには大容量のメモリが必要となってしまう。また、異常発生原因を絞り込むためには、全てのゲインの履歴データから解析する必要がなく、ある一定期間（本実施形態では１ヶ月）のゲイン最大値を解析するだけで十分である。
【００４８】
また、上述した実施形態では、１ヶ月毎のゲイン最大値を履歴データとしていた。しかしながら、例えば、ガス流路内に流れているガス流速によって、ゲインの値は多少変動することに着目し、複数の流速区分を設け、１ヶ月における各流速区分毎のゲイン最大値を履歴データとすることも考えられる。このような履歴データを解析すれば、より一層正確なゲインの解析を行うことができる。なお、この場合、ＲＡＭ１４ｃに、各流速区分毎に、ゲイン最大値エリアを設け、現在の流速に対応するゲイン最大値エリアに記憶されているゲイン最大値と、現在のゲインとを比較して、現在のゲインが大きかった場合に、更新を行う。
【００４９】
また、上述した実施形態では、ゲイン最大値を履歴データとしていたが、例えば、１ヶ月中のゲイン平均値を履歴データとすることも考えられる。さらに、１ヶ月中における各流速区分毎のゲイン平均値を履歴データとすることも考えられる。
【００５０】
さらに、上述した実施形態では、受信した超音波信号を増幅する増幅器１３ａのゲイン履歴を残していた。しかしながら、送信する超音波信号を増幅する増幅器についてゲイン調整が行われている場合、そのゲイン履歴を残すことが考えられる。
【図面の簡単な説明】
【００５１】
【図１】本発明のゲイン履歴装置を組み込んだ電子式ガスメータの一実施の形態を示す図である。
【図２】図１の電子式ガスメータを構成するμＣＯＭ１４の詳細を示すブロック図である。
【図３】図２のＣＰＵ１４ａが行うゲイン調整処理及び計測異常検出処理を説明するためのタイムチャートである。
【図４】図１の電子式ガスメータを構成するＣＰＵ１４ａの履歴処理における処理手順を示すフローチャートである。
【符号の説明】
【００５２】
１２    送信回路（送信手段）
１３    受信回路（受信手段）
１３ａ  増幅器（増幅手段）
１４ａ  ＣＰＵ（ゲイン調整手段、更新手段）
１４ｃ  ＲＡＭ（履歴データ記憶手段、ゲイン最大値記憶手段）
【図１】
2005257445.tif 000003
【図２】
2005257445.tif 000004
【図３】
2005257445.tif 000005
【図４】
2005257445.tif 000006